(57)【要約】      （修正有）【課題】回転する高圧ノズルに洗浄対象物が絡まず、スムーズに洗浄することができる回転噴射ノズルを提供する。また、洗浄対象物の絡みによる人的労力、洗浄対象物の破損、回転噴射ノズルの破損等、メンテナンスの機会を減らすことができる回転噴射ノズルを提供する。【解決手段】本考案の回転噴射ノズル１は、高圧水を供給する供給配管Ｃと、該供給配管に連通する吐出用通路を有する旋回腕２と、該旋回腕に設けられた、噴射孔を有する噴射部３１，３２とからなる回転噴射ノズルであって、該回転噴射ノズルの噴射孔を除いて該回転噴射ノズルを覆うカバー４が、該回転噴射ノズルに被着されてなることを特徴とする。【選択図】図１
0003147186.tif 000002
【実用新案登録請求の範囲】
【請求項１】
高圧水を供給する供給配管と、該供給配管に連通する吐出用通路を有する旋回腕と、該旋回腕に設けられた、噴射孔を有する噴射部とからなる回転噴射ノズルであって、
該回転噴射ノズルの噴射孔を除いて該回転噴射ノズルを覆うカバーが、該回転噴射ノズルに被着されてなることを特徴とする回転噴射ノズル。
【請求項２】
前記カバーが、円盤形状のプレートからなることを特徴とする請求項１記載の回転噴射ノズル。
【請求項３】
前記カバーが、矩形状のプレートからなることを特徴とする請求項１記載の回転噴射ノズル。
【請求項４】
前記カバーが、回転噴射ノズルを覆う筐体であることを特徴とする請求項１記載の回転噴射ノズル。
【考案の詳細な説明】
【技術分野】
【０００１】
本考案は回転噴射ノズルに関する。さらに詳しくは、高圧水を噴射する回転噴射ノズルであって、該回転噴射ノズルの噴射孔を除いて該回転噴射ノズルを覆うカバーが、該回転噴射ノズルに被着されてなることを特徴とする回転噴射ノズルに関する。
【背景技術】
【０００２】
従来の回転噴射ノズルとして、特許文献１に示されるような回転噴射ノズルが用いられている（図８（ａ）参照）。回転噴射ノズルは、洗浄対象に回転するノズルから噴射される高圧水により、付着物や汚れを落とすことができ、かつ比較的少量の水で、広範囲を洗浄することが可能である。
【０００３】
しかしながら、特許文献１に示されるような回転噴射ノズル１１の場合、高圧水に噴射された洗浄対象物Ｎは、たとえ両側から同じ圧力で噴射したとしても、噴射された高圧水の圧力により、洗浄対象物Ｎの搬送経路から飛び出してしまう。したがって、飛び出した洗浄対象物Ｎが、回転噴射ノズル１１の先端に絡まってしまうという問題がある（図８（ｂ）参照）。
【０００４】
洗浄対象物が回転ノズルに絡まった場合には、洗浄対象物が破損してしまうか、回転噴射ノズルの回転が止まってしまい、洗浄対象物が搬送経路内を進むことができず、洗浄不可能な状態になってしまうという問題がある。また、駆動ローラにより洗浄対象物を搬送する場合には、駆動ローラが空回りしたり、駆動ローラにより引っ張られる洗浄対象物の力により、高圧ノズルの先端が破損してしまうという問題もある。
【０００５】
【特許文献１】実用新案登録第３１３３２７７号公報
【考案の開示】
【考案が解決しようとする課題】
【０００６】
そこで、本考案者らは、かかる事情に鑑みて、回転する高圧ノズルに洗浄対象物が絡まず、スムーズに洗浄することができる回転噴射ノズルの提供を目的とする。また、洗浄対象物の絡みによる人的労力、洗浄対象物の破損、回転噴射ノズルの破損等、メンテナンスの機会を減らすことができる回転噴射ノズルの提供を目的とする。
【課題を解決するための手段】
【０００７】
本考案の回転噴射ノズルは、高圧水を供給する供給配管と、該供給配管に連通する吐出用通路を有する旋回腕と、該旋回腕に設けられた、噴射孔を有する噴射部とからなる回転噴射ノズルであって、該回転噴射ノズルの噴射孔を除いて該回転噴射ノズルを覆うカバーが、該回転噴射ノズルに被着されてなることを特徴とする。
【０００８】
また、前記カバーが、円盤形状のプレートからなることが好ましい。
【０００９】
また、前記カバーが、矩形状のプレートからなることが好ましい。
【００１０】
また、前記カバーが、回転噴射ノズルを覆う筐体であることが好ましい。
【考案の効果】
【００１１】
本考案によれば、回転噴射ノズルを覆うカバーにより、洗浄対象物がノズルに絡むことを防止することができる。
【００１２】
また、洗浄対象物がノズルに絡まないので、短時間で洗浄をすることができる。さらに、洗浄対象物がノズルに絡むことによる、人的労力、洗浄対象物の破損、高圧ノズルの破損等のメンテナンスの機会を大幅に減らすことができる。
【考案を実施するための最良の形態】
【００１３】
以下、添付図面を参照しながら本考案の回転噴射ノズルを詳細に説明する。
【００１４】
図１は本考案の一実施の形態にかかわる回転噴射ノズルを示す図であり、図２は本考案に用いられる回転噴射ノズルの一実施の形態を示す図であり、図３は本考案の回転噴射ノズルに用いられるカバーの一実施の形態を示す図であり、図４は本考案の回転噴射ノズルに用いられるカバーの他の実施の形態を示す図であり、図５は本考案の回転噴射ノズルに用いられるカバーのさらに他の実施の形態を示す図であり、図６は本考案の回転噴射ノズルを用いた実施例を説明するための図であり、図７は本考案の回転噴射ノズルを用いた実施例を説明するための図である。
【００１５】
図１は、本考案の一実施の形態にかかわる回転噴射ノズルを示す図であり、回転噴射ノズル１は、高圧水を供給する供給配管Ｃと供給配管Ｃに連結され、回転可能に連結され、吐出用通路が設けられた旋回腕２と、当該旋回腕２に少なくとも１つ以上設けられ、供給配管Ｃからの高圧水を噴射する噴射部３とからなる回転噴射ノズル１に、噴射部３を除いて回転噴射ノズル１を覆うカバー４とから構成されている。
【００１６】
洗浄対象物は、搬送路５内を通過し、搬送路５の途中に設けられ、洗浄可能なように、空隙が設けられているガイド部材６内を通過するときに回転噴射ノズル１から高圧水を噴射され、洗浄される。洗浄対象物の搬送方法は、後述するように、洗浄対象物をローラにより挟み込み、動力を用いて搬送することも可能であるが、特に搬送方法は人力であってもよく、特にその搬送方法は限定されることはない。
【００１７】
本実施の形態においては、図１に示されるように、回転噴射ノズル１は、供給配管Ｃの軸周りに回転し、吐出用通路が設けられた旋回腕２の両端に設けられた、噴射孔を有する噴射部３１、３２により高圧水が噴射される。図１においては、１つの回転噴射ノズル１あたり、噴射部３が両端に２つずつ、計４つ設けられているが、噴射部３の数は特に限定されるものではない。
【００１８】
図２に示されるように、噴射部３１、３２は、供給配管Ｃの軸Ｘに対して互いに逆方向に角度θ（θ＝３〜２５度）だけ噴射方向が偏向されている。このように角度θだけ偏向させることにより回転噴射ノズル１に回転力を発生させることができ、回転数は１分間で５０〜３００回転させることにより、洗浄室内の広い範囲に亘って噴射することができ、かつ、のりを落としやすくなるという利点を有する。なお、ノズルは、本実施の形態においては、噴射方向を偏向させることにより、回転力を得ているが、本考案におけるノズルは、モータ等の外部からの動力により、回転力を得る回転ノズルであってもよく、特にノズルの種類は限定されることはない。
【００１９】
つぎに、図３を用いて本考案の回転噴射ノズル１に用いられるカバー４について説明する。図３（ａ）に示されるように、本実施の形態の回転噴射ノズル１は、回転噴射ノズルの噴射部３を除いて、カバー４により覆われている。図３（ａ）では、カバー４は、円盤形状のプレートが、供給配管Ｃと吐出用通路が設けられている旋回腕２が連結する連結部において、回転噴射ノズル１の噴射方向に接続されており、吐出用通路が設けられた旋回腕２とともに回転する。カバー４と回転噴射ノズルの接続は、溶接、熱融着、螺着等の公知の固着手段により固着することができ、特にその接続方法は限定されることはない。また、供給配管Ｃと旋回腕２との連結部にカバー４を連結する必要はなく、旋回腕２に直接連結してもよい。カバー４の材質は、防錆、重量の観点から、ステンレス等が好ましいが、合成樹脂、その他の金属であっても構わない。
【００２０】
当該カバー４を設けることにより、回転噴射ノズル１の噴射部３から噴射された高圧水により、ガイド部材６の間隙から洗浄対象物がはみ出してしまった場合でも、当該カバー４が回転噴射ノズル１を覆っているので、回転噴射ノズル１の旋回腕２に洗浄対象物が絡まず、カバー４は、絡みを防止する絡み防止手段として機能する。図３（ａ）のように円盤形状であることにより、洗浄対象物が引っかかることがなく、引っかかることがないので、回転噴射ノズル１を洗浄対象物が洗浄されるガイド部材６に近接して配置することが可能であり、回転噴射ノズル１が用いられる装置全体を小型化することが可能になる。さらに、引っかかることがなく、回転噴射ノズル１を洗浄通路であるガイド部材６の位置に近接して配置することができるので、噴射圧力を減らすことも可能である。なお、カバー４は、円盤形状のプレートに限られることはなく、三角形、矩形状、楕円、多角形等の形状を呈したプレートであっても構わない。この際、当該三角形、矩形状、楕円、多角形等の形状を呈したプレートは、吐出用通路が設けられた旋回腕２の回転する部分全体が覆われる大きさに形成してもよいし、旋回腕２だけが覆われるようにすることもできる。
【００２１】
図３（ａ）では、カバー４は、回転噴射ノズル１の噴射部３１および３２の傾きに応じて、カットされた切り欠き部４１が設けられているが、回転噴射ノズル１は、図２に示されるノズルに限られないので、切り欠き部４１の位置は、図に示す位置に限られない。また、図４に示されるように、ノズルの噴射部３１、３２の形状に対応した、複数の孔を円盤形状のプレートに設けてもよい。
【００２２】
図５は、カバー４の他の態様を示す図である。図５のカバー４は、回転噴射ノズル１の吐出用通路が設けられた旋回腕２、噴射部３１、３２が筐体に収納されるように形成されている。当該筐体の形状は特に限定されるものではないが、最小限の大きさになるように、直方体にすることが好ましい。さらに、カバー４である当該筐体に洗浄対象物が絡まりにくくするために、筐体の自由端側をカットしたり、丸みを帯びさせることも可能である。
【００２３】
また、図３および図５のカバー４を併用することも可能である。また、図３の円盤形状のプレートは、噴射方向に形成されているが、噴射方向だけでなく、ノズル全体を覆うように円筒状の筐体とすることも可能である。
【００２４】
また、カバー４は、回転噴射ノズル１の噴射方向全面を開放しておき、絡まる可能性の高い、旋回腕２が回転する外周を覆うように形成してもよい。すなわち椀形形状のカバーとし、当該椀形形状の開口面内を旋回腕２が回転するようにし、椀形形状の開口方向に噴射してもよい。
【００２５】
以下、図６および図７を参照し、本考案の回転噴射ノズル１の実施例を説明する。本考案の回転噴射ノズル１は、図６に示されるような洗浄装置に用いられる。図６において、Ｎ１〜Ｎ３は洗浄対象物であり、汚れや付着物が付いた状態である。洗浄対象物としては特に限定されないが、魚介類用の網や、建築現場等で用いられる養生用シートやネット、テニスやサッカーで用いられるネット等、ベッドや布団に用いられるシーツ等があげられる。
【００２６】
本実施の形態の洗浄装置７は、洗浄対象物Ｎを洗浄し、洗浄対象物Ｎの汚れや付着物を除去するための洗浄装置であり、金属製または合成樹脂製の洗浄室に洗浄対象物Ｎ１〜Ｎ３が通される搬送路５が形成され、該洗浄室に羅着、溶接、熱融着など、従来より公知の固着手段によって固着、支持された１または２以上の回転噴射ノズル１と（図７参照）、高圧水を供給する高圧水供給用の供給配管Ｃとからなり、前記高圧水供給配管Ｃが分岐され、かつ互いに対向するように前記装置１内に導入されている。互いに対向する一対の供給配管Ｃの先端に、供給配管Ｃと連通する高圧水の吐出用通路を有する旋回腕２が供給配管Ｃに対して回転自在に設けられ、旋回腕２の吐出用通路に連通して噴射部３が設けられている。さらに、回転噴射ノズル１の噴射部３１、３２の部分を除いて、回転噴射ノズル１を覆うカバー４が回転噴射ノズル１に被着されている。
【００２７】
搬送路５は、洗浄室内部を貫いて形成され、洗浄対象物Ｎ１〜Ｎ３の洗浄中、入口から出口まで洗浄対象物Ｎ１〜Ｎ３を支持する。搬送路５は、特に材質は限定されないが、金属製または合成樹脂製であることが好ましく、特にステンレスなどの滑りのいい素材が最適である。本実施の形態において、搬送路５は汚れまたは付着物が付着した洗浄対象物が導入される入口から洗浄後ののり網が退出される出口にかけて漸次高くなる勾配が形成されているが、搬送路５は勾配を形成せず、床面と平行に形成しても構わない。搬送路５に、図６のように入口から出口にかけて勾配を設けることにより、洗浄された汚れや付着物が重力により入口方向へ向かって落ちるため、一度洗浄された汚れや付着物が再度付着しにくく、洗浄対象物Ｎに付着した汚れや付着物を完全に除去することに寄与する。勾配の角度は、特に限定されないが、θ＝３〜３０°であることが好ましく、さらに好ましくは４〜６°である。
【００２８】
また、搬送路５は、複数設けることができ、一度に大量の洗浄対象物Ｎを洗浄することができる。図６では、上下方向に３つの搬送路５が形成され、それぞれ洗浄対象物Ｎ１、Ｎ２、Ｎ３が導入される。このとき、洗浄対象物Ｎ１〜Ｎ３が絡まないように、洗浄対象物分配手段８を形成することができ、洗浄対象物分配手段８を介して洗浄対象物Ｎ１〜Ｎ３を別々の搬送路５へ導入する。また、洗浄対象物Ｎ１〜Ｎ３をスムーズに搬送路５へ導入するために、ローラＲ１を設けることも可能である。なお、搬送路５の数は、図６のように３つに限定されるものではなく、１つでも２つでもよく、適宜設計変更が可能である。
【００２９】
搬送路５を通過する洗浄対象物Ｎ１〜Ｎ３は、洗浄室内の回転噴射ノズル１、たとえば高圧ジェット式ノズルにより、高圧水を噴射され、洗浄対象物に付着した汚れや付着物が除去される。高圧水は、図示しないタンク内から供給され、高圧ポンプＰ（以下、単にポンプＰという）から配管Ｃ、旋回腕２の吐出用通路を介して回転噴射ノズル１の噴射部３により噴射される。
【００３０】
除去された汚れや付着物は、回収機構９により回収される。洗浄対象物がのり網である場合には、のりを洗浄し、回収機構９により回収された後、脱水機（図示せず）にかけられ再利用される。この回収機構９により、洗浄後、のり網から除去されたのりを廃棄することなく、有効に利用することができ、資源の低消費（reduce）、再使用（reuse）、リサイクル（recycle）を実現することができる。回収されたのりは、たとえば、飼料、食用に加工されたり、肥料として加工することが可能である。
洗浄された洗浄対象物Ｎ１〜Ｎ３は、搬送路５の出口から退出すると、入口側と同様に洗浄対象物分配手段８により分配され、洗浄対象物引き出し手段であるローラＲ２、Ｒ３を介して送られる。なお、本考案において、洗浄対象物引き出し手段は、ローラに限られることはなく、人力でも構わないし、洗浄対象物の引き出しが可能な公知の手段が含まれる。図６では、ローラＲ２はモータＭにより駆動力を付与され反時計回りに回転し、図６中の右方向へのり網が移送される。従動ローラであるＲ３が載置された台には、ガスダンパーＤが設けられ、のり網の厚みに従って、上下方向に揺動可能にされている。なお、ローラの数は２つに限定されることはなく、３つ以上のローラから構成することも可能である。また、上部に配設されたローラＲ２、下部に配設されたローラＲ３の形状は、たとえば円柱状が好適に採用されるが、この形状に限られない。たとえば、紡錘状や、鞍状の形状も採用し得る。
【００３１】
さらに、ローラＲ２、Ｒ３は、互いに接触するように配設されておりさえすればよく、必ずしも互いに平行に配設する必要はない（すなわち、互いにねじれの状態で配設することも可能である）。
【００３２】
そして、当該ローラＲ２、Ｒ３のうちの少なくともいずれかに人力（クランクによってトルクを発生させる）または動力（モータＭにより発生した回転トルクを、ベルトまたは歯車（図示されていない）により伝達する）により回転トルクが付与されるようにすることもできる。なお、モータＭにより発生した回転は、洗浄対象物の進行速度を調節するため、たとえば、インバータ、減速歯車機構などにより変速することも可能である。
【００３３】
また、下部に配設されたローラＲ３に対して、圧縮コイルバネ（または引張コイルバネ）や空気バネなどの従来より公知の付勢手段により付勢することにより、下部に配設されたローラＲ３に押圧力を付与することもできる。
【００３４】
また、本考案の装置は、たとえば装置本体の下部にローラを形成するなど、公知の手段により移動可能にすることができる。
【００３５】
本実施の形態においては、図７に示されるように噴射部３を３箇所に設けているが、その数は特に限定されることはない。
【実施例】
【００３６】
図６および図７に示されるような、搬送路５が上下方向に３つ設けられ、高圧ノズルが左右に３箇所ずつ設けられた洗浄装置７を用いて、のり網を用いて３箇所でのりの洗浄をした。入口側の２箇所の洗浄箇所には、８０ｋｇ／ｃｍ2の高圧水を噴射する回転噴射ノズル１（旋回腕の長さが１７０ｍｍ）を左右に２箇所ずつ設け、出口側の洗浄箇所には、５０ｋｇ／ｃｍ2の高圧水を噴射する回転噴射ノズル１０を左右に設けた。搬送路５には、直径７０ｍｍのステンレス製の円筒状通路である搬送路５と直径５０ｍｍの略環状部材であるガイド部材６を交互に設け、３箇所の洗浄箇所の長さは、２５０ｍｍであった。また、洗浄装置には、出口側が高くなるような勾配が角度２０°で形成されているものを使用した。洗浄されるのり網Ｎの大きさは、１枚が１．６ｍ×２０ｍであり、洗浄前ののり網の重さは、１枚あたり６０ｋｇであった。こののり網の端と端を結び、１０枚ののり網を一列につなぎ、それぞれの通路を通過させた。したがって、通路が３つであるので、合計３０枚ののり網を洗浄した。回転噴射ノズル１、１０にカバー４を設けて洗浄を行なった。なお、回転噴射ノズル１０は、モータにより回転する噴射部が１つ設けられた噴射ノズルである。
【００３７】
以下、洗浄方法を説明する。
（１）まず、搬送路５の出口側からフック付ワイヤーを入口側に通し、洗浄されるべきのり網の四隅から伸ばされた糸にフックを引っ掛け、入口側の洗浄対象物分配手段の開口部、搬送路５、出口側洗浄対象物分配手段、ローラＲ２、Ｒ３の間を通し、３枚ののり網を洗浄可能な状態にした。
【００３８】
（２）モータＭを駆動し、ローラＲ２を回転させ、のり網Ｎを進行させると同時に、ポンプＰからの高圧水を回転噴射ノズル１および回転噴射ノズル１０により噴射した。回転噴射ノズル１および１０のカバー４により、のり網Ｎに噴射された高圧水によりはみ出たのり網Ｎが引っかかることを防ぎ、スムーズにのり網Ｎを移送することができた。
【００３９】
（３）搬送路５内を通過するのり網Ｎ１〜Ｎ３は、まず第１の洗浄部で、粗洗浄を行なった。粗洗浄は、回転噴射ノズル１が回転することにより、略環状部材であるガイド部材６を通過するのり網Ｎ１〜Ｎ３の全てに、高圧水を噴射することができ、表面についたのりを除去した。
【００４０】
（４）粗洗浄後、円筒状通路である搬送路５を通り、第２の洗浄部において、中間洗浄を行なった。中間洗浄では、粗洗浄と同様に、回転噴射ノズル１が回転することにより、略環状部材であるガイド部材６を通過するのり網Ｎ１〜Ｎ３の全てに、高圧水を噴射し、のりを除去した。
【００４１】
（５）中間洗浄後、円筒状通路である搬送路５を通り、第３の洗浄部において、すすぎ洗浄を行なった。すすぎ洗浄は、高圧ノズル１０により行ない、のり網Ｎ１〜Ｎ３を洗浄した。
【００４２】
その結果、３０枚ののり網Ｎの洗浄を３０分で行なうことができ、１枚あたり１分ですることができた。さらに、３０枚ののり網が１枚もノズルの絡むことがなかった。
【００４３】
また、カバー４により、回転噴射ノズル１を搬送路５に近接して配置することが可能になり、搬送路５の幅が５ｃｍの場合、対向する回転噴射ノズル１の先端同士の間隔を６〜７ｃｍまで近づけることができ、装置全体を小型化することができた。
【図面の簡単な説明】
【００４４】
【図１】本考案の一実施の形態にかかわる回転噴射ノズルを示す図である。
【図２】本考案に用いられる回転噴射ノズルの一実施の形態を示す図である。
【図３】本考案の回転噴射ノズルに用いられるカバーの一実施の形態を示す図である。
【図４】本考案の回転噴射ノズルに用いられるカバーの他の実施の形態を示す図である。
【図５】本考案の回転噴射ノズルに用いられるカバーのさらに他の実施の形態を示す図である。
【図６】本考案の回転噴射ノズルを用いた実施例を説明するための図である。
【図７】本考案の回転噴射ノズルを用いた実施例を説明するための図である。
【図８】（ａ）および（ｂ）は従来の回転噴射ノズルを説明するための図である。
【符号の説明】
【００４５】
１、１０  回転噴射ノズル
２  旋回腕
３、３１、３２  噴射部
４  カバー
４１  切り欠き部
５  搬送路
６  ガイド部材
７  洗浄装置
８  洗浄対象物分配手段
９  回収機構
Ｃ  供給配管
Ｄ  ダンパー
Ｍ  モータ
Ｎ  洗浄対象物
Ｐ  ポンプ
Ｒ１、Ｒ２、Ｒ３  ローラ
【図１】
0003147186.tif 000003
【図２】
0003147186.tif 000004
【図３】
0003147186.tif 000005
【図４】
0003147186.tif 000006
【図５】
0003147186.tif 000007
【図６】
0003147186.tif 000008
【図７】
0003147186.tif 000009
【図８】
0003147186.tif 000010